(57)【特許請求の範囲】
【請求項１】
貫通孔の穿設された加締受け部材(6) と内帽体(7) とを重着し、フック(F) とループ(R) からなる面ファスナーの一方であるフック(F) が群生した基体(8) を該内帽体(7) の表面に重着した雄表部材(4) と、加締脚(13)を突設した雄裏部材(5) とから構成され、被取付体(M) の取付孔(Ma)に貫通させた、雄裏部材(5) の加締脚(13)の先端を、雄表部材(4) の加締受け部材(6) と内帽体(7) との間で加締止めして取付け、面ファスナーの他方であるループ(R) が群生した雌部材(3) に係着させる、面ファスナーを使用した係着要素において、
フック(F) が群生する基体(8) の表面を、フック(F) の高さと略同一の厚みを有し且つフック(F) を埋没状態とするとともに、前記フック(F) を永久変形したり、又は締結性能を低下することなく基体(8) から取り外してフック(F) を露出させることができるようにエラストマーの保護層(E) で被覆したことを特徴とする面ファスナーを使用した係着要素。
【請求項２】
頭部(21)下の圧入部(22)の外周に抜け止めの凸条(23)又は凹条を設けた雄部材(2) 主体に、フック(F) とループ(R) からなる面ファスナーの一方であるフック(F) が群生した基体(8) を頭部(21)の表面に重着し、被取付体(M) の取付孔(Ma)に圧入して取付け、そのフック(F) を面ファスナーの他方であるループ(R) が群生した雌部材(3) と係着する、面ファスナーを使用した係着要素において、
フック(F) が群生する基体(8) の表面を、フック(F) の高さと略同一の厚みを有し且つフック(F) を埋没状態とするとともに、前記フック(F) を永久変形したり、又は締結性能を低下することなく基体(8) から取り外してフック(F) を露出させることができるようにエラストマーの保護層(E) で被覆したことを特徴とする面ファスナーを使用した係着要素。
【発明の詳細な説明】
【０００１】
【発明が属する技術分野】
本発明は、フックとループからなる面ファスナーを使用した係着要素、さらに詳しくはＯＡ機器等に装着してこれらの落下を防止するため、あるいは鞄や事務用ファイル等のフラップ（蓋）と本体を閉じるためなどに用いる、フックとループからなる面ファスナーを用いた係着要素に関する。
【０００２】
【従来の技術】
従来より、最も簡単で多用されている、面ファスナーを使用した係着要素は、任意の形状に裁断されたフック形成片とループ形成片の一対からなるが、簡単に剥がれ落ちたりせず、又装飾性を具備させるために工夫された係着要素がいくつか開発されて公知となっている。その一は、フックとループからなる面ファスナーの一方であるフックが群生した雄表部材と、加締脚を突設した雄裏部材のうち、該雄裏部材の加締脚を例えば鞄のフラップの取付孔に貫通させ、加締脚の先端を前記雄表部材の加締空間内で加締止めして取付けるとともに、鞄の本体に面ファスナーの他方であるループが群生した雌部材を取付けて鞄のフラップと本体を開閉自在に係着する面ファスナーを使用した係着要素である。
【０００３】
その二は、頭部下の圧入部の外周に抜け止めの凸条又は凹条を設け、フックとループからなる面ファスナーの一方であるフックが群生した基体を頭部の表面に重着し、例えばパソコン等のＯＡ機器の下面に形成した取付孔に圧入部を圧入して、デスク上に取付けた、面ファスナーの他方であるループが群生した雌部材と係着させ、ＯＡ機器が地震の揺れ等で不用意に落下するのを防止する、面ファスナーを使用した係着要素である。
【０００４】
【発明が解決しようとする課題】
しかし、従来の係着要素はいずれも被取付体に確実に取付けられ、装飾性を具備させるには適しているが、前者の係着要素の取付けは、型で雄表部材の表面を強打して雄表部材と雄裏部材を加締て行うため、雄表部材の表面に群生するフックに折損や永久変形を生じ、係着力の低下を招く問題があった。
【０００５】
また、後者の係着要素においても、圧入手段によりフックが群生した頭部を強打して取付孔に圧入するため、前者の係着要素と同様にフックに折損や永久変形を生じ、係合力の低下を招いていた。
【０００６】
そこで本発明は、フックが群生した表面を強打して被取付体に取付けても、フックの折損や永久変形を生じることなく、係着力の低下を招来しない、面ファスナーを使用した係着要素の提供を課題とする。
【０００７】
【課題を解決するための手段】
本発明は、上記課題を解決するためになされたものであって、貫通孔の穿設された加締受け部材と内帽体とを重着し、フックとループからなる面ファスナーの一方であるフックが群生した基体を該内帽体の表面に重着した雄表部材と、加締脚を突設した雄裏部材とから構成され、被取付体の取付孔に貫通させた、雄裏部材の加締脚の先端を、雄表部材の加締受け部材と内帽体との間で加締止めして取付け、面ファスナーの他方であるループが群生した雌部材に係着させる、面ファスナーを使用した係着要素において、
フックが群生する基体の表面を、フックの高さと略同一の厚みを有し且つフックを埋没状態とするとともに、前記フックを永久変形したり、又は締結性能を低下することなく基体から取り外してフックを露出させることができるようにエラストマーの保護層で被覆した面ファスナーを使用した係着要素を基本とする。
【０００８】
また、頭部下の圧入部の外周に抜け止めの凸条又は凹条を設けた雄部材主体に、フックとループからなる面ファスナーの一方であるフックが群生した基体を頭部の表面に重着し、被取付体の取付孔に圧入して取付け、そのフックを面ファスナーの他方であるループが群生した雌部材と係着する、面ファスナーを使用した係着要素において、
フックが群生する基体の表面を、フックの高さと略同一の厚みを有し且つフックを埋没状態とするとともに、前記フックを永久変形したり、又は締結性能を低下することなく基体から取り外してフックを露出させることができるようにエラストマーの保護層で被覆するようにしてもよい。
【０００９】
【発明の効果】
上記説明した本発明に係る面ファスナーを使用した係着要素によれば、表面に群生するフックを埋没状態とする、エラストマーの保護層を備えているため、表面を型や圧入手段を用いて強打しても、フックの折損や永久変形を生じず、係着力を低下させることがない。
【００１０】
また、前記保護層は、前記フックを永久変形したり、又は該フックの締結性能を低下させることなくフックを露出するように、基体から取り外すことができるように構成されているため、被取付体に取付けた後に保護層を完全に除去することができる。
【００１１】
以上により、フックが群生した表面を強打して被取付体に取付けても、フックの折損や永久変形を生じることなく、係着力の低下を招来しない、面ファスナーを使用した係着要素を提供することができる。
【００１２】
【発明の実施の形態及び実施例】
（実施例１）
本発明の実施例１に係る係着要素について図を用いて説明すると、図１は面ファスナーを使用した係着要素(1) を拡大した中央断面図、図２は雄表部材(4) と雄裏部材(5) を拡大した中央断面図、図３は保護層(E) を形成する装置のエラストマー塗布装置(31)、図４は他の手段により保護層(E) を形成する装置である、カレンダーロール装置(34)であって、係着要素(1) は、フック(F) とループ(R) からなる面ファスナーの一方であるフック(F) が群生した雄部材(2) とループ(R) が群生した雌部材(3) からなり、雄部材(2) はさらに、雄表部材(4) と雄裏部材(5) から構成される。
【００１３】
図１に示すように上記雄表部材(4) は、直径25mmの円盤形状で、硬質の内帽体(7) と軟質の裏カバー(9) の間に、該内帽体(7) よりやや径が小さい硬質の加締受け部材(6) を挟み、フック(F) を一体に群生した基体(8) を内帽体(7) に重着してこれらの周縁部を相互に溶着した構成であり、雄裏部材(5) は、先端を僅かにラッパ状に広げ又は軸方向にスリットを入れた加締脚(13)を具備する金属製リベット(12)を樹脂製の雄裏部材主体(11)に埋め込んだ構成である。
【００１４】
上記雄表部材(4) の裏カバー(9) は、軟質合成樹脂シートで形成されて中央部に前記雄裏部材(5) の加締脚(13)が貫通しうる貫通孔(9a)が穿設され、上記加締受け部材(6) は、硬質発泡樹脂素材で形成されて、中央に前記雄裏部材(5) の加締脚(13)が貫通する径の貫通孔(6a)が裏カバー(9) の貫通孔(9a)の位置に対応して穿設されている。そして、上記内帽体(7) は、硬質合成樹脂製の薄板で、加締空間(10)内に嵌入する加締脚(13)を加締る際に加締脚(13)の先端と当接して、基体(8) の裏側を保護するとともに、基体を平坦な形に支えるためのものである。
【００１５】
上記基体(8) は、可撓性のある熱可塑性合成樹脂製のシートであり、フック(F) が熱可塑性合成樹脂素材を用いて基体(8) と一体的に形成されたものであって、打抜き手段等を用いて雄表部材(4) の形状に合わせて切り取り、前記内帽体(7) に重着する。フック(F) の形状は、実施例に示したような一本につき複数の鍵部があるもののほか、先端に単一の鍵部があるもの、きのこ型など、種々のフックを用いることができる。
【００１６】
そして上記基体(8) に形成された、群生したフック(F) を埋没状態とする取り外し可能な保護層(E) は、図２のように雄部材(2) を被取付体(M) に加締手段で取付けた後、前記フック(F) を永久変形したり、又はフック(F) の締結性能を低下することなくフック(F) を露出するように、フック(F) から取り外すことができるようにするため、保護層(E) の素材は、エラストマー（常温付近でゴム弾性を示す高分子物質）であれば様々な材料を用いることができるが、保護層(E) をフック(F) から剥がすことができるように常温付近で柔軟性を十分有していること及びフック(F) から剥がすときに破れない、十分な引張り強度を有することが必要である。保護層(E) に特に適したエラストマーは、シリコンゴムであるが、天然ゴムやウレタンゴムのような熱可塑性素材を用いることもできる。
【００１７】
また、基体(8) から保護層(E) を取り外し易くするため、保護層(E) を構成する前に予めフック(F) を剥離剤で処理してもよい。あるいは、基体(8) を製造するために用いられる熱可塑性合成樹脂素材に、剥離を容易にする添加剤を直接混合してもよい。
【００１８】
上記保護層(E) の形成には種々の手段を用いることができる。保護層(E) の製造方法の一例を示すと、エラストマーとしてビニルプラスチゾルを用いる場合、図３に示すように塗布装置(31)の貯留部(35)が回転体(36)の上に位置し、帯状の剥離布(H) がこの間を通る。剥離布(H) がこの間を通過すると室温のビニルプラスチゾルが貯留部(35)から剥離布(H) に一定厚で塗布され、ビニルプラスチゾルの塗布された剥離布(H) は塗布装置(31)から加熱装置(32)へ移送される。加熱装置(32)は、ビニルプラスチゾルを融解温度まで加熱するとともに赤外線照射手段により、ビニルプラスチゾルに含まれる発泡剤を活性化させて発泡させる。
【００１９】
ビニルプラスチゾルの塗布された剥離布(H) は、加熱装置(32)から出て除々に冷却し、まだ柔らかいうちに埋め込み装置(33)で基体(8) のフック(F) の形成された面と合わされ、フック(F) がビニルプラスチゾルに埋め込まれる。その後剥離布(H) がビニルプラスチゾルから剥離されて基体(8) の上に保護層(E) が形成される。ビニルプラスチゾルが柔らかすぎる状態ではフック(F) とビニルプラスチゾルが強固に結合して取り外すことができなくなり、固まりきった状態では、フック(F) がビニルプラスチゾルに貫入しなくなるので適度に冷却した状態で埋め込む必要がある。
【００２０】
また、保護層(E) を製造する他の手段として、図４に示すように、フック(F) が形成された基体(8) に、カレンダーロール装置(34)の間隙を通過させ、カレンダーロール(37)の間にエラストマー化合物(Ea)を注出してフック(F) 全体に渡って均等に一定厚で広げた後、使用するエラストマー化合物(Ea)に適した方法で硬化する手段を用いることができる。
【００２１】
次に、面ファスナーを使用した係着要素(1) の使用について図１、図２を参照して説明すると、まず鞄や事務用ファイルのフラップ等の被取付体(M) の取付孔(Ma)に雄裏部材(5) の加締脚(13)を貫通させ、反対側に突出した加締脚(13)に雄表部材(4) を被嵌する。雄裏部材(5) を受け型（図示せず）で支え、雄表部材(4) を基体(8) 側から打ち型（図示せず）で強打して雄裏部材(5) の加締脚(13)を加締止めして取付ける。このときに基体(8) に形成した保護層(E) が打ち型による衝撃と圧力を緩衝し、基体(8) に群生するフック(F) の折損や永久変形を防止する。
【００２２】
被取付体(M) に雄部材(2) を取付けた後は、基体(8) に形成した保護層(E) を図２のようにして除去する。保護層(E) は十分な引張り強度と柔らかさを備えているため、捲るようにして引っ張るとフック(F) から容易に外れ、フック(F) を折ったり損傷することがないとともに、途中で切れずに残らず全部取れるため、速やかに除去することができる。そして鞄や事務用ファイルの本体側に取付けた、ループ(R) が群生する雌部材(3) と着脱自在に係着させることができる。
【００２３】
（実施例２）
本発明の実施例２に係る面ファスナーを使用した係着要素(1) について図を用いて説明すると、図５は面ファスナーを使用した係着要素(1) を拡大した断面図、図６は係着要素(1) のうち、雄部材(2) の底面図であって、係着要素(1) は、フック(F) とループ(R) からなる面ファスナーの一方であるフック(F) が群生した雄部材(2) とループ(R) が群生した雌部材(3) から構成される。
【００２４】
上記雄部材(2) は、直径25mmの円盤形状の頭部(21)の片方の面に圧入部(22)を突設した頭部(21)に、フック(F) とループ(R) からなる面ファスナーの一方であるフック(F) が群生した基体(8) を重着した構成で、頭部(21)と圧入部(22)は熱可塑性合成樹脂で一体に形成され、圧入部(22)には軸方向の抜け止めとして、凸条(23)が具備されている。
【００２５】
上記基体(8) は、実施例１の基体(8) と同様、可撓性のある熱可塑性合成樹脂製シートであり、フック(F) が熱可塑性合成樹脂素材を用いて基体(8) と一体的に形成されたものである。打抜き手段等を用いて雄表部材(4) の形状に合わせて切り取り、前記頭部(21)に重着する。
【００２６】
そして上記基体(8) には、基体(8) に群生したフック(F) を包含する取り外し可能なエラストマー製の保護層(E) が形成される。該保護層(E) は、雄表部材(4) を被取付体(M) に圧入手段で取付けた後、前記フック(F) を永久変形したり、又はフック(F) の締結性能を低下することなくフック(F) を露出するように、フック(F) から取り外すことができるように構成される。保護層(E) の材質、形成手段は実施例１の保護層(E) と同様の材質及び形成手段を用いることができる。
【００２７】
次に、面ファスナーを使用した係着要素(1) の使用について説明する。例えばＯＡ機器等が地震の際にデスク等から落下するのを防止するために使用する場合は、まず、ＯＡ機器等の裏面に雄部材(2) の圧入部(22)が圧入できる径の取付孔(Ma)を穿設し、圧入手段を用いて雄部材(2) の圧入部(22)を前記取付孔(Ma)に圧入する。このとき圧入手段で基体(8) を強打するが、保護層(E) が圧入手段による衝撃と圧力を緩衝し、基体(8) に群生するフック(F) の折損や永久変形を防止する。
【００２８】
被取付体(M) に雄部材(2) を取付けた後は、基体(8) に形成した保護層(E) を除去する。保護層(E) は十分な引張り強度と柔らかさを備えているため、捲るようにして引っ張るとフック(F) から容易に外れ、フック(F) を折ったり損傷することがないとともに、途中で切れずに残らず全部取れるため、速やかに除去することができる。
【００２９】
次にＯＡ機器等を載置するデスクや棚の上に、ＯＡ機器等に取付けた雄部材(2) に対応するようにループ(R) を群生した雌部材(3) を取付け、ＯＡ機器等をその上に載置して雄部材(2) と雌部材(3) を係着させて落下を防止する。雌部材(3) の形状は、雄部材(2) と同じように頭部(21)に圧入部(22)が突設された形状でもよく、テープ状のものを両面テープ等の取付け手段を用いてデスクに貼着するようにしてもよい。
【００３０】
（実施例３）
本発明の実施例３に係る係着要素(1) の構成要素について図を用いて説明すると、図７は面ファスナーを使用した係着要素(1) を拡大した中央断面図であって、係着要素(1) は、フック(F) とループ(R) からなる面ファスナーの一方であるフック(F) が群生した雄部材(2) とループ(R) が群生した雌部材(3) から構成される。
【００３１】
上記雄部材(2) は、直径25mmの円盤形状で、硬質の内帽体(7) よりやや径が小さい硬質の受け部材(24)に、受け部材(24)よりさらに小さい径の頭部(21)に突設した圧入部(22)を貫通し、前記内帽体(7) と軟質の裏カバー(9) とで頭部(21)と受け部材(24)を挟むように重ね、フック(F) を一体に群生した基体(8) を内帽体(7) に重着して、これらの周縁部を相互に溶着した構成である。頭部(21)と圧入部(22)は熱可塑性合成樹脂で一体に形成され、圧入部(22)の一部を膨出させて、軸方向の抜け止めの凸条(23)としている。
【００３２】
上記雄表部材(4) の裏カバー(9) は、軟質合成樹脂シートで形成されて中央部に前記雄部材(2) 主体の圧入部(22)が貫通しうる貫通孔(9a)が穿設され、上記受け部材(24)は、硬質発泡樹脂素材で形成されて、中央に前記圧入部(22)が貫通する径の貫通孔(24a) が裏カバー(9) の貫通孔(9a)の位置に対応して穿設されている。そして、上記内帽体(7) は、硬質合成樹脂製の薄板である。
【００３３】
上記基体(8) は、実施例１の基体(8) と同様、可撓性のある熱可塑性合成樹脂製シートであり、フック(F) が熱可塑性合成樹脂素材を用いて基体(8) と一体的に形成されたものである。打抜き手段等を用いて切り取り、前記頭部(21)に重着する。
【００３４】
そして上記基体(8) に形成された、群生したフック(F) を包含する取り外し可能なエラストマー製の保護層(E) は、雄表部材(4) を被取付体(M) に圧入手段で取付けた後、前記フック(F) を永久変形したり、又はフック(F) の締結性能を低下することなくフック(F) を露出するように、フック(F)から取り外すことができるように構成される。保護層(E) の材質、形成手段は実施例１の保護層(E) と同様の材質及び形成手段を用いることができる。
【００３５】
次に、面ファスナーを使用した係着要素(1) の構成要素の使用については、実施例２の場合と同様であり、段落番号００２７乃至００２９の通りである。
【００３６】
以上説明した本発明に係る面ファスナーを使用した係着要素(1) は、実施例に限定されるものではなく、寸法、形状等は使用目的等に適合させて適宜変更できるものであることは、いうまでもない。
【００３７】
また雌部材(3) は、フック(F) と係合するループ(R) を群生したものであれば、特に形状は限定されず、取付け手段についても任意の公知の手段を用いることができる。
【図面の簡単な説明】
【図１】面ファスナーを使用した係着要素(1) を拡大した中央断面図である。
【図２】雄表部材(4) と雄裏部材(5) を拡大した中央断面図である。
【図３】保護層(E) を形成する装置のエラストマー塗布装置である。
【図４】保護層(E) を形成する装置のカレンダーロール装置である。
【図５】面ファスナーを使用した係着要素を拡大した断面図である。
【図６】係着要素の構成要素の底面図である。
【図７】面ファスナーを使用した係着要素を拡大した中央断面図である。
【符号の説明】
(1)     係着要素
(2)     雄部材
(3)     雌部材
(4)     雄表部材
(5)     雄裏部材
(6)     加締受け部材
(6a)    貫通孔
(7)     内帽体
(8)     基体
(9)     裏カバー
(9a)    貫通孔
(10)    加締空間
(11)    雄裏部材主体
(12)    リベット
(13)    加締脚
(21)    頭部
(22)    圧入部
(23)    抜け止めの凸条
(24)    受け部材
(24a)   貫通孔
(E)     保護層
(F)     フック
(R)     ループ
【図１】
0003635456.tif 000002
【図２】
0003635456.tif 000003
【図３】
0003635456.tif 000004
【図４】
0003635456.tif 000005
【図５】
0003635456.tif 000006
【図６】
0003635456.tif 000007
【図７】
0003635456.tif 000008